(57)【要約】【課題】成形後のワイヤガイドブラケットの各部位置関係に寸法的な狂いをなくし、レール部材を固定するための溶接用突起を正確な位置に配置できるワイヤガイドブラケットの提供。【解決手段】ワイヤガイドブラケット１３を、ワイヤガイド取付部３０，３１を構成する第１面とドアパネルへの固定部３６,３６’を構成する第２面と溶接部を構成する第３面で構成するものとし、第１面と第２面の一側縁からこれらの面と交差する方向に屈曲して第３面を形成するとともに、溶接部は、同一面を維持して第１面側の第１溶接片と第２面側の第２溶接片に分離し、第１溶接片と第２溶接片に分散して前記レール部材との溶接用突起を形成する。【選択図】図４
2015067958.tif 000002
【特許請求の範囲】
【請求項１】
ワイヤ式ウィンドウレギュレータにおけるワイヤガイドブラケットであって、鋼板のプレス成形によりワイヤガイド取付部と固定部および溶接部を有し、
ワイヤガイド取付部はワイヤ径路を転向させるワイヤガイドを取り付ける部分であり、固定部は、このワイヤガイドブラケットをドアパネルに取り付けるための部分であり、溶接部は、前記レギュレータにおけるレール部材の端部をプロジェクション溶接により固定するための部分であり、
ワイヤガイド取付部を構成する第１面とドアパネルへの固定部を構成する第２面間に段差があるとともに、溶接部を構成する第３面は第１面と第２面の一側縁からこれらの面と交差する方向に屈曲して形成されるとともに、
溶接部は、同一面を維持して第１面側の第１溶接片と第２面側の第２溶接片に分離されており、第１溶接片と第２溶接片に分散して前記レール部材との溶接用突起が形成されている、
ことを特徴としたワイヤガイドブラケット。
【請求項２】
ドアパネルの固定部とワイヤガイド取付部は上下に配置され、これに伴い前記の第２溶接片と第１溶接片は上下に位置し、第２溶接片に半月形の溶接位置基準切欠を設けると共に、第１溶接片に円形の溶接位置基準孔を設け、前記切欠は前記レール部材に設けた溶接位置基準孔の位置に合わせ、前記孔は、レール部材の端縁に設けた溶接基準位置切欠に合わせて形成してあることを特徴とした請求項１に記載のワイヤガイドブラケット。
【発明の詳細な説明】
【技術分野】
【０００１】
本発明は、自動車のワイヤ式ウィンドウレギュレータにおいてレール部材の端部に溶接にて固定され、ワイヤ配索用のプーリーなどのワイヤガイドが取り付けられるワイヤガイドブラケットに関する。
【背景技術】
【０００２】
自動車の窓ガラスを開閉するワイヤ式ウィンドウレギュレータは、窓ガラスの前後縁をガイドする前後フレーム（ガラスガイド）や窓ガラスの下端部を支持するキャリアをガイドするガイドレールのようなレール部材を備えている。このようなレール部材には、端部にワイヤガイドブラケットが側方へ張り出すよう取り付けられ、ワイヤガイドブラケットにワイヤと係合してその延伸方向を転向させるワイヤガイドが装着されたものも多い（特許文献１参照）。
ところで、レール部材の端部にワイヤガイドブラケットを取り付けるには、図７に示すように、ワイヤガイドブラケットＢの側端を折り曲げて溶接片Ｍを形成し、この溶接片Ｍをレール部材Ｒの側面に重ねて複数個所でプロジェクション溶接することがある。
しかし、ワイヤガイドブラケットＢには、ワイヤガイド取付部Ｋの面だけでなく、ドアパネル取付部Ｄの面もある上、これらの間に段差面Ｑがあり、また、レール部材側の溶接面は、レール部材がガラスガイドである場合には、その内側にガラスランを収容するので、端部において溶接面とできる場所が限定されている。その上、溶接片Ｍの面を補強するためにリブＳを形成したりする。このため、ワイヤガイドブラケットＢの溶接片Ｍを形成した角部Ｔの形状が袋形（面が三次元に組み合わさった構造）になって、プレス加工するとこの角部Ｔに皺ができたりして、溶接用突起Ｐの位置を正確に形成するのが難しい。
【先行技術文献】
【特許文献】
【０００３】
【特許文献１】特許第４３６５５８５号公報
【発明の概要】
【発明が解決しようとする課題】
【０００４】
本発明が解決しようとする課題は、ワイヤガイドブラケットのレール部材溶接箇所の構造が袋形となるのを避けることにより、成形後の各部位置関係に寸法的な狂いをなくし、溶接用突起を正確な位置に配置できる、自動車用ワイヤ式ウィンドウレギュレータに用いるワイヤガイドブラケットの提供である。
【課題を解決するための手段】
【０００５】
ワイヤ式ウィンドウレギュレータにおけるワイヤガイドブラケットを、鋼板のプレス成形によりワイヤガイド取付部と固定部および溶接部を有したものに形成する。
ワイヤガイド取付部はワイヤ径路を転向させるワイヤガイドを取り付ける部分であり、固定部は、このワイヤガイドブラケットをドアパネルに取り付けるための部分であり、溶接部は、前記レギュレータにおけるレール部材（ガラスガイドやガイドレール）の端部をプロジェクション溶接により固定するための部分とする。
ワイヤガイド取付部を構成する第１面とドアパネルへの固定部を構成する第２面間は段差面で連続される。
溶接部を構成する第３面は、第１面と第２面の一側縁（同じ側）からこれらの面と交差する方向に屈曲して形成する。そして、溶接部は、同一面を維持して第１面側の第１溶接片と第２面側の第２溶接片に分離され、さらに、前記レール部材との溶接用突起が、第１溶接片と第２溶接片に分散して形成される。
【０００６】
ワイヤガイド取付部とドアパネルの固定部は上下に配置され、これに伴い前記の第２溶接片と第１溶接片は上下に位置し、第２溶接片の上縁に半月形の溶接位置基準切欠を設けると共に、第１溶接片に円形の溶接位置基準孔を設け、前記切欠は前記レール部材に設けた溶接位置基準孔の位置に合わせ、前記孔は、レール部材の端縁に設けた溶接基準位置切欠に合わせて形成することがある。
【発明の効果】
【０００７】
ワイヤガイド取付部（第１面）とドアパネルへの固定部（第２面）とは段差面でつながっているだけの二次元構造であり、ワイヤガイド取付部側の第１溶接片とドアパネル固定部側の第２溶接片とはそれぞれ屈曲されているだけの二次元構造であるため、プレス加工によっても前記の角部Ｔに相当する箇所に皺が発生したりすることなく、第１溶接片、第２溶接片を正確な位置に配置することができる。
また、第１溶接片と第２溶接片は同一面に沿って配置され、これらに分散して配置されたプロジェクション突起によってそれぞれにレール部材へ溶接されるから、レール部材とワイヤガイドブラケットとが強固に結合される。
ワイヤガイドブラケットとレール部材との位置決めに半円形の溶接位置基準切欠を利用するので、位置合わせのために円形の孔を形成したものに比べて溶接用位置決め部分として確保すべきスペースが狭くて済む。
【図面の簡単な説明】
【０００８】
【図１】本発明の実施例に係る自動車用ドアを外側から透視的に示した正面図。
【図２】本発明の実施例に係るウィンドウレギュレータの正面図。
【図３】レール部材の斜視図。
【図４】ワイヤガイドブラケットを室外側から見た斜視図。
【図５】ワイヤガイドブラケットを室内側から見た斜視図。
【図６】ワイヤガイドブラケットとレール部材との固定箇所を示した要部斜視図。
【図７】従来のワイヤガイドブラケットの斜視図。
【発明を実施するための形態】
【０００９】
以下、本発明の実施例を図面に基づいて詳細に説明する。
本発明に係る自動車用ドアは、図１に示すように、窓ガラス１とドアフレーム２とドアパネル３及びウィンドウレギュレータを備える。
ドアフレーム２は前フレーム４と後フレーム５及びこれらの上端部を連結した上フレーム６とからなる。
ドアパネル３は、パネル空間Ｓを形成する外パネル（図示せず）と内パネル７から成り、外パネルと内パネル７の間に前フレーム４と後フレーム５の下部が固定されている。また、パネル空間Ｓの上方において、前フレーム４と後フレーム５と上フレーム６で囲まれた部分が窓Ｗになっている。
【００１０】
窓ガラス１は、前縁を前フレーム４で案内させるとともに、後縁を後フレーム５で案内させて、上下方向に移動可能に装着してある。前フレーム４と後フレーム５はガラスガイドである。
窓ガラス１を昇降させるウィンドウレギュレータは、図２に示すように、ワイヤ８と、ドラム駆動装置９と、ワイヤ８を係合してその方向を転向させるワイヤガイドａ〜ｅと、前フレーム４及びガイドレール１０とで構成される。ワイヤガイドａ，ｂ，ｄ，ｅはプーリーなどの回動可能なワイヤガイドであり、ワイヤガイドｃはワイヤ８をガイドする湾曲面を持ち、固定的に取り付けられる部材である。前フレーム４及びガイドレール１０は、端部にワイヤガイドブラケット（後述）が固定される案内部材なので、レール部材と総称できる。
ドラム駆動装置９は、ワイヤ８を巻回したドラム１１とモータ１２を有し、モータ１２でドラム１１を駆動することにより、ワイヤ８を一端側で巻き取るとともに他端側で巻き戻すものである。
【００１１】
図３に示すように、この実施例において、前フレーム４（レール部材）の下端部にワイヤガイドブラケット１３が固定されている。
前フレーム４は、後方が開口したコ字状の断面を有し、窓ガラス１の前縁が上下動可能に挿入される。
パネル空間Ｓの前上部に位置する前フレーム４の中間部にはワイヤガイドｃが取り付けられる。ワイヤガイドｃの上端面は緩やかに湾曲し、ワイヤ８を係合するガイド溝１５が形成されている。
また、前フレーム４の前面の下端(図６)には半円形の溶接位置基準切欠２７が形成され、溶接位置基準切欠２７の上方においてワイヤガイドブラケット溶接位置の上部に円形の溶接位置基準孔２８が形成されている。
【００１２】
ワイヤガイドブラケット１３は、前後寸法が上下寸法より大きい細長形状であり、図４及び図５に示すように、前半部が前部ワイヤガイド取付部３０、後半部が後部ワイヤガイド取付部３１となっている。前部ワイヤガイド取付部３０は後部ワイヤガイド取付部３１よりも段部で連続してやや室外側に位置する。これらのワイヤガイド取付部３０と３１を合わせて第１面とする。
なお、後部ワイヤガイド取付部３１の後端部室外側に筒状のチューブ支持部材１４が取り付けられる（別部材）（図５）。
前部ワイヤガイド取付部３０の上端には前部取付片３２が連設され、前部ワイヤガイド取付部３０の前端には第１溶接片３３が連設され、後部ワイヤガイド取付部３１の上端には後部取付片３４が連設されている。
【００１３】
前部取付片３２は、上方室内側に延びる傾斜部３５と、傾斜部３５の上端に起立したドアパネル固定部３６と、ドアパネル固定部３６の前端を室外側へ直角に屈曲した第２溶接片３７とを一体に形成して成る。
第２溶接片３７の先端部（室外側の端部）には、前面側が陥没し、後面側へ隆起した二つの溶接用突起４０が内外方向に並べて形成され、第２溶接片３７の上端縁には、前フレーム４の溶接位置基準孔２８の下半部と一致させる半円形の位置決め切欠４１が形成されている。
【００１４】
第１溶接片３３は、前部ワイヤガイド取付部３０の前端上部から室外側へ直角に屈曲して形成される。第１溶接片３３と第２溶接片３７は同一平面内に設けられ、第１溶接片３３の先端と第２溶接片３７の先端が一致するよう室外側へ張り出している。また、第１溶接片３３は、その上端が第２溶接片３７の下端よりやや下方に達するよう上方へ延びている。
第１溶接片３３の上部には、前面側が陥没し、後面側へ隆起した二つの溶接用突起４０が内外方向に並べて形成され、溶接用突起４０のやや下方には、上半部を前フレーム４の溶接位置基準切欠２７と一致させる円形の位置決め孔４２が形成されている。
後部ワイヤガイド取付部３１は、上方室内側に延びる傾斜部３５’と、傾斜部３５’の上端に起立したドアパネル固定部３６’を一体に形成して成る。
ドアパネル固定部３６と３６’の共通面を第２面とする。また、第１溶接片３３と第２溶接片３７の共通面を第３面とする。前記の第１面はワイヤガイドの取付面であり、第２面はドアパネルへワイヤガイドブラケットを取り付けるための固定面、第３面は溶接部である。溶接部は第１溶接片３３と第２溶接片３７に同一面を維持して分割され、複数のプロジェクション溶接用突起４０は第１、第２の溶接片３３，３７に分散して配置されている。
【００１５】
図６に示すように、第１溶接片３３及び第２溶接片３７を前フレーム４の前面にプロジェクション溶接することにより、ワイヤガイドブラケット１３が前フレーム４の下端部に固定される。
ワイヤガイドブラケット１３と前フレーム４を溶接するには、まず、ワイヤガイドブラケット１３の第１溶接片３３及び第２溶接片３７を前フレーム４の前面に重ね、第１溶接片３３の位置決め孔４２の上半部を前フレーム４の溶接位置基準切欠２７と一致させ、第２溶接片３７の位置決め切欠４１を前フレーム４の溶接位置基準孔２８の下半部と一致させて、ワイヤガイドブラケット１３と前フレーム４を位置決めする。
次いで、第１溶接片３３及び第２溶接片３７の前方から溶接用突起４０の部分を前フレーム４に溶接する（プロジェクション溶接）。
【００１６】
また、ワイヤガイドブラケット１３は、前部取付片３２のドアパネル固定部３６及び後部ワイヤガイド取付部３１のドアパネル固定部３６’を貫通するネジにより内パネル７に固定される。
さらに、図２において前フレーム４の下部に示すように、ワイヤガイドｂがワイヤガイドブラケット１３における前部ワイヤガイド取付部３０の室外側の面に取り付けられ、ワイヤガイドａが後部ワイヤガイド取付部３１の室外側の面に取り付けられる。
内パネル７とワイヤ８のワイヤ径路は内外方向にずれているので、ドアパネル固定部３６及びドアパネル固定部３６’と、前部ワイヤガイド取付部３０及び後部ワイヤガイド取付部３１とは同一面内に設置されていないが、前部ワイヤガイド取付部３０の前端の第１溶接片３３とドアパネル固定部３６の前端の第２溶接片３７は独立して形成されているので、ワイヤガイドブラケット１３の前端の屈曲部分はシンプルな構造となり、溶接用突起４０も簡単に、且つ正確に形成することができる。
【００１７】
ガイドレール１０は、前フレーム４と対をなし、パネル空間Ｓの後部に立設される（図１）。
図２に示すように、パネル空間Ｓの後上部に位置するガイドレール１０の上端部にはワイヤガイドブラケット１６が固定される。ワイヤガイドブラケット１６の室外側の面にはこの実施例においてプーリーであるワイヤガイドｄが取り付けられ、ワイヤガイドｄの下方に筒状のチューブ支持部材１７が設けられる。
パネル空間Ｓの後下部に位置するガイドレール１０の下端部にはブラケット１８が固定される。ブラケット１８の室外側の面の後部にはプーリーであるワイヤガイドｅが取り付けられ、ワイヤガイドｅの前方に筒状のチューブ支持部材１９が設けられる。また、ブラケット１８にドラム１１及びモータ１２がドラム１１を室外側の面としてブラケット１８を挟むようにして取り付けられ、ドラム１１の後方及び前方にそれぞれ筒状のチューブ支持部材２０とチューブ支持部材２１が設置されている。
そして、ワイヤガイドブラケット１６と前記ブラケット１８をドアパネル３の内パネル７に固定することにより、ガイドレール１０がパネル空間Ｓ内に取り付けられる。
【００１８】
また、ドラム１１の後方のチューブ支持部材２０とガイドレール１０の上部に設置されたチューブ支持部材１７の間にガイドチューブ２２が架設され、ガイドレール１０の下部に設けられたチューブ支持部材１９と前フレーム４の下部に設けられたチューブ支持部材１４の間にガイドチューブ２３が架設され、ドラム１１の前方のチューブ支持部材２１とチューブ支持部材１４の間にガイドチューブ２４が架設される。
【００１９】
ワイヤ８は、ドラム１１からガイドチューブ２２を通過して後上部のワイヤガイドｄと係合し、ガイドレール１０の内側を通って後下部のワイヤガイドｅに至る。次いで、ワイヤガイドｅからガイドチューブ２３を通過して前下部のワイヤガイドｂに至り、ワイヤガイドｂの下面に係合してから前フレーム４の内側を通って前上部のワイヤガイドｃに至る。ワイヤガイドｃのガイド溝１５に係合したワイヤ８は、前フレーム４の外部を通って前キャリア２５に至る。さらに、前キャリア２５から、下部のワイヤガイドａに至り、ワイヤガイドａの下面に係合してからガイドチューブ２４を通過して再びドラム１１に至る。
【００２０】
窓ガラス１の下端前部を支持する前キャリア２５は、前記のように、ワイヤガイドｃとワイヤガイドａ間のワイヤ８に取り付けられている。また、窓ガラス１の下端後部を支持する後キャリア２６はワイヤガイドｄとワイヤガイドｅ間のワイヤ８に取り付けられる。後キャリア２６はガイドレール１０に装着されて上下に案内されている。
モータ１２でドラム１１を駆動するとワイヤ８は往復移動される。このとき、ワイヤガイドｃとワイヤガイドａ間のワイヤ８とワイヤガイドｄとワイヤガイドｅ間のワイヤ８は同じ方向に移動するので、前キャリア２５と後キャリア２６は同時に昇降し、窓ガラス１が開閉する。
【００２１】
なお、本発明のワイヤガイドブラケットの技術事項は、前記レール部材（前フレーム４）とワイヤガイドブラケットの連結箇所ばかりでなくガイドレール１０とワイヤガイドブラケットの連結箇所にも適用できる。
【符号の説明】
【００２２】
１    窓ガラス
２    ドアフレーム
３    ドアパネル
４    前フレーム
５    後フレーム
６    上フレーム
７    内パネル
８    ワイヤ
９    ドラム駆動装置
１０  ガイドレール
１１  ドラム
１２  モータ
１３  ワイヤガイドブラケット
１４  チューブ支持部材
１５  ガイド溝
１６  ワイヤガイドブラケット
１７  チューブ支持部材
１８  ブラケット
１９  チューブ支持部材
２０  チューブ支持部材
２１  チューブ支持部材
２２，２３，２４  ガイドチューブ
２５  前キャリア
２６  後キャリア
２７  溶接位置基準切欠
２８  溶接位置基準孔
３０  前部ワイヤガイド取付部
３１  後部ワイヤガイド取付部
３２  前部取付片
３３  第１溶接片
３４  後部取付片
３５，３５’  傾斜部
３６，３６’  ドアパネル固定部
３７  第２溶接片
４０  溶接用突起
４１  位置決め切欠
４２  位置決め孔
ａ〜ｅ  ワイヤガイド
Ｓ    パネル空間
Ｗ    窓
【図１】
2015067958.tif 000003
【図２】
2015067958.tif 000004
【図３】
2015067958.tif 000005
【図４】
2015067958.tif 000006
【図５】
2015067958.tif 000007
【図６】
2015067958.tif 000008
【図７】
2015067958.tif 000009